(57)【要約】【課題】既設のタイルパネルであっても後付でワイヤーロープを支持するための金具を取り付けることが可能なタイル剥落防止用補助金具を提供する。【解決手段】タイル剥落防止用補助金具は、複数のタイルパネルの前側を横断するように張られるワイヤーロープを通すために一のタイルパネルから他のタイルパネルにかけて前記タイルパネルの表面側に当てられる前側金具と、前記前側金具と前後に重なるように前記一のタイルパネルから前記他のタイルパネルにかけて前記タイルパネルの裏面側に当てられる後側金具と、前記後側金具の前面に板バネ状に取り付けられた把持片と、を有し、前記後側金具は、前記タイルパネルの表面側から前記把持片で保持されながら間隙を通して前記タイルパネルの裏面側に送り込まれ、前記前側金具と前記後側金具とが、前記一のタイルパネル及び前記他のタイルパネルを挟み込むように固定される。【選択図】図１
2019015050.tif 000002
【特許請求の範囲】
【請求項１】
壁面から浮かして並置された複数のタイルパネルにおける一のタイルパネルとそれに隣接する他のタイルパネルの間に確保された間隙に設けられるタイル剥落防止用補助金具であって、
前記複数のタイルパネルの前側を横断するように張られるワイヤーロープを通すために前記一のタイルパネルから前記他のタイルパネルにかけて前記タイルパネルの表面側に当てられる前側金具と、
前記前側金具と前後に重なるように前記一のタイルパネルから前記他のタイルパネルにかけて前記タイルパネルの裏面側に当てられる後側金具と、
前記後側金具の前面に板バネ状に取り付けられた把持片と、を有し、
前記後側金具は、前記タイルパネルの表面側から前記把持片で保持されながら前記間隙を通して前記タイルパネルの裏面側に送り込まれ、
前記前側金具と前記後側金具とが、前記一のタイルパネル及び前記他のタイルパネルを挟み込むように固定される、
ことを特徴とするタイル剥落防止用補助金具。
【請求項２】
前記前側金具は、前記タイルパネルの表面側に当てられる前当板から垂直方向に連設された垂立板に前記ワイヤーロープを通すための通孔が空けられる、
ことを特徴とする請求項１に記載のタイル剥落防止用補助金具。
【請求項３】
前記前側金具及び前記後側金具は、前記壁面から垂立するアンカーボルト又は前記アンカーボルトから延設された金具を通すための中孔が空けられる、
ことを特徴とする請求項１又は２に記載のタイル剥落防止用補助金具。
【請求項４】
前記後側金具は、前記前側金具に空けた留孔の位置に合わせて長孔が空けられ、
前記長孔は、前記後側金具が回転しても前記留孔と位置が合うように湾曲状に空けられる、
ことを特徴とする請求項１乃至３の何れか一に記載のタイル剥落防止用補助金具。
【請求項５】
前記後側金具は、前記間隙に通しやすくするために端側を後方に傾くように折り曲げた側縁部を有する、
ことを特徴とする請求項１乃至４の何れか一に記載のタイル剥落防止用補助金具。
【請求項６】
前記把持片は、前記後側金具の中央から端側までの長さに前記タイルパネルの厚さを加えた以上の長さを有する、
ことを特徴とする請求項１乃至５の何れか一に記載のタイル剥落防止用補助金具。
【発明の詳細な説明】
【技術分野】
【０００１】
本発明は、トンネル等の壁面に設置したタイルパネルからタイルが剥落するのを防止するために張るワイヤーを支持するタイル剥落防止用補助金具に関する。
【背景技術】
【０００２】
トンネル等の壁面には、一般的に複数のタイルが貼着される。タイルを張ることでトンネル内が明るくなるので、走行する自動車を認識しやすくなれば、交通事故が未然に防止される効果も期待される。なお、タイルは、１枚ずつ壁面に接着するのではなく、複数枚を縦横に並べたタイルパネルにして、複数のタイルパネルが壁面に沿って並置される。
【０００３】
タイルは、タイルパネルに貼着されているが、自動車のタイヤから撥ねた石などが当たり、割れた破片が道路に落下又は飛散する場合もある。そのため、特許文献１に記載されているように、タイルパネルの表から裏に抜けて縦断又は横断するようにワイヤーロープを張るトンネル壁面被覆用タイルパネルの落下防止機構に関する発明も開示されている。
【先行技術文献】
【特許文献】
【０００４】
【特許文献１】特開２０１４−１７３３２３号公報
【発明の概要】
【発明が解決しようとする課題】
【０００５】
しかしながら、特許文献１に記載の落下防止機構においては、タイルパネルの表側（裏側）から裏側（表側）にワイヤーロープを貫通させており、既に設置されているタイルパネルに対して加工を行うことは困難である。
【０００６】
そこで、本発明は、既設のタイルパネルであっても後付でワイヤーロープを支持するための金具を取り付けることが可能なタイル剥落防止用補助金具を提供することを目的とする。
【課題を解決するための手段】
【０００７】
上記の課題を解決するために、本発明であるタイル剥落防止用補助金具は、壁面から浮かして並置された複数のタイルパネルにおける一のタイルパネルとそれに隣接する他のタイルパネルの間に確保された間隙に設けられるタイル剥落防止用補助金具であって、前記複数のタイルパネルの前側を横断するように張られるワイヤーロープを通すために前記一のタイルパネルから前記他のタイルパネルにかけて前記タイルパネルの表面側に当てられる前側金具と、前記前側金具と前後に重なるように前記一のタイルパネルから前記他のタイルパネルにかけて前記タイルパネルの裏面側に当てられる後側金具と、前記後側金具の前面に板バネ状に取り付けられた把持片と、を有し、前記後側金具は、前記タイルパネルの表面側から前記把持片で保持されながら前記間隙を通して前記タイルパネルの裏面側に送り込まれ、前記前側金具と前記後側金具とが、前記一のタイルパネル及び前記他のタイルパネルを挟み込むように固定される、ことを特徴とする。
【０００８】
また、前記タイル剥落防止用補助金具において、前記前側金具は、前記タイルパネルの表面側に当てられる前当板から垂直方向に連設された垂立板に前記ワイヤーロープを通すための通孔が空けられる、ことを特徴とする。
【０００９】
また、前記タイル剥落防止用補助金具において、前記前側金具及び前記後側金具は、前記壁面から垂立するアンカーボルト又は前記アンカーボルトから延設された金具を通すための中孔が空けられる、ことを特徴とする。
【００１０】
また、前記タイル剥落防止用補助金具において、前記後側金具は、前記前側金具に空けた留孔の位置に合わせて長孔が空けられ、前記長孔は、前記後側金具が回転しても前記留孔と位置が合うように湾曲状に空けられる、ことを特徴とする。
【００１１】
また、前記タイル剥落防止用補助金具において、前記後側金具は、前記間隙に通しやすくするために端側を後方に傾くように折り曲げた側縁部を有する、ことを特徴とする。
【００１２】
また、前記タイル剥落防止用補助金具において、前記把持片は、前記後側金具の中央から端側までの長さに前記タイルパネルの厚さを加えた以上の長さを有する、ことを特徴とする。
【発明の効果】
【００１３】
本発明によれば、既設のタイルパネルであっても後付でワイヤーロープを支持するための金具を取り付けることができる。タイルパネルの裏側、すなわち、壁面とタイルパネルの間に作業者が手を入れることができなくても、タイルパネル間に確保されている間隙から金具を送り込んで固定することができる。タイルパネルの前側にワイヤーロープを張ることで、タイルパネルに自動車のタイヤから撥ねた石などが当たっても、割れたタイルの破片が道路に落下又は飛散することを抑制することができる。また、金具でタイルパネルを挟持しているので、地震等によりタイルパネル自体が倒れるのを抑制することができる。
【図面の簡単な説明】
【００１４】
【図１】本発明であるタイル剥落防止用補助金具を使用したタイルパネルを示す正面図である。
【図２】本発明であるタイル剥落防止用補助金具の周辺を拡大した正面図である。
【図３】本発明であるタイル剥落防止用補助金具の周辺をＡ−Ａで切断した横断面図である。
【図４】本発明であるタイル剥落防止用補助金具の前側金具を示す正面図、平面図及び左側面図である。
【図５】本発明であるタイル剥落防止用補助金具の後側金具を示す正面図、平面図及び左側面図である。
【図６】本発明であるタイル剥落防止用補助金具の取付手順を説明するための図である。
【図７】本発明であるタイル剥落防止用補助金具の取付手順を説明するための図である。
【発明を実施するための形態】
【００１５】
以下に、本発明の実施形態について図面を参照して詳細に説明する。同一機能を有するものは同一符号を付け、その繰り返しの説明は省略する場合がある。
【実施例１】
【００１６】
まず、本発明であるタイル剥落防止用補助金具の構造について説明する。図１は、タイル剥落防止用補助金具を使用したタイルパネルを示す正面図である。図２は、タイル剥落防止用補助金具の周辺を拡大した正面図である。図３は、タイル剥落防止用補助金具の周辺をＡ−Ａで切断した横断面図である。図４は、タイル剥落防止用補助金具の前側金具を示す（ａ）正面図、（ｂ）平面図及び（ｃ）左側面図である。図５は、タイル剥落防止用補助金具の後側金具を示す（ａ）正面図、（ｂ）平面図及び（ｃ）左側面図である。
【００１７】
図１に示すように、タイルパネル２００は、トンネル内壁などの壁面１００に沿って張られるが、壁面１００から浮かして壁面１００との間に空間がある状態で複数枚が並べて配置される。なお、タイルパネル２００に関して、壁面１００を向いた側を裏面（後側）とし、壁面１００と反対側であるトンネル内部を向いた側を表面（前側）とする。
【００１８】
複数のタイルパネル２００が横方向に並置されたときに、タイルパネル２００の前側を横断するようにワイヤーロープ３１０を張り、タイルパネル２００を押さえる。ワイヤーロープ３１０については、タイル剥落防止用補助金具３００を間欠的に複数取り付けて、所定の位置（高さ）で支持されれば良い。
【００１９】
図２に示すように、タイルパネル２００は、横方向に並置されたときに、そのうち任意の一のタイルパネル２００とそれに隣接する他のタイルパネル２００ａの間には僅かな間隙２３０が確保されており、その間隙２３０を利用してタイル剥落防止用補助金具３００が取り付けられる。なお、間隙２３０には、タイルパネル２００を支持するための他の金具なども取り付けられる。
【００２０】
タイルパネル２００は、１枚の下地２２０に複数のタイル２１０が縦横に配置されて貼り付けられるが、タイル２１０間に目地の分だけ空けて貼着される。既設のタイルパネル２００の場合、目地には目地材が充填されており、タイル剥落防止用補助金具３００を固定するために穴を空けるのは好ましくないため、間隙２３０を利用する。
【００２１】
図３に示すように、コンクリート１１０の壁面１００に対してタイルパネル２００が浮かし張りされている場合に、コンクリート１１０に垂直に埋設されたアンカーボルト１２０又はアンカーボルト１２０から延設された金具にタイル剥落防止用補助金具３００を固定する。
【００２２】
アンカーボルト１２０は、間隙２３０において、タイルパネル２００の表面よりも突出させる。タイル剥落防止用補助金具３００は、前側金具４００及び後側金具５００を有し、前側金具４００と後側金具５００とでタイルパネル２００を挟み込むように取り付けられる。前側金具４００及び後側金具５００は、コンクリート１１０から垂立するアンカーボルト１２０に貫通させ、ワッシャー１３０を介してナット１４０で固定されれば良い。
【００２３】
図４に示すように、前側金具４００は、例えば、横長の長方形の左右両側の短辺を外側に円状に膨らむように湾曲させた形状の金属板を用い、その湾曲している何れか一方（右寄側又は左寄側）を垂直に折り曲げたＬ字状の部材である。なお、前側金具４００のうち長い方を前当板４１０とし、折り曲げられた短い方を垂立板４２０とする。
【００２４】
前当板４１０は、タイルパネル２００の表面側に当てられる部分であり、一のタイルパネル２００の右側の縁部から間隙２３０を跨いで他のタイルパネル２００ａの左側の縁部に当てられれば良い。すなわち、前当板４１０の横の長さは、間隙２３０の幅よりも大きくする。間隙２３０に当たる部分には、中央にアンカーボルト１２０を通すための中孔４３０、中孔４３０の上側及び下側に後側金具５００と留めるための留孔４４０が空けられる。
【００２５】
また、垂立板４２０は、タイルパネル２００の表面側から突出するように、前当板４１０から前側に向かって垂直方向に連設された部分であり、ワイヤーロープ３１０を通すために横方向に貫通する通孔４５０が空けられる。
【００２６】
図５に示すように、後側金具５００は、例えば、円形の左右両側を縦に切り欠いた形状の金属板を用い、その両方（右寄側及び左寄側）の端側を後方に傾くように少し折り曲げた部材である。なお、中央側の平坦な部分を後当板５１０とし、端側の傾けた部分を側縁部５２０とする。
【００２７】
後当板５１０は、タイルパネル２００の裏面側に当てられる部分であり、一のタイルパネル２００の右側の縁部から間隙２３０を跨いで他のタイルパネル２００ａの左側の縁部に当てられれば良い。すなわち、後当板５１０の横の長さも、間隙２３０の幅よりも大きくする。間隙２３０に当たる部分には、中央にアンカーボルト１２０を通すための中孔５３０、中孔５３０の上側及び下側に前側金具４００と留めるための長孔５４０が空けられる。
【００２８】
前側金具４００と後側金具５００とは、前後に重なるように配置され、前側金具４００の中孔４３０と後側金具５００の中孔５３０とが前後方向において一直線上にあり、アンカーボルト１２０が貫通する。
【００２９】
そして、前側金具４００の留孔４４０と後側金具５００の長孔５４０に留具を通して固定するが、アンカーボルト１２０を軸として前側金具４００又は後側金具５００が回転しても、留孔４４０と長孔５４０の前後方向における位置が合うように、長孔５４０については横長にし、さらに回転方向に合わせて湾曲させた形状で空けられる。
【００３０】
また、側縁部５２０は、タイルパネル２００の裏面側から突出することになるが、後側金具５００を間隙２３０に通しやすくするためであり、間隙２３０より狭い範囲で傾斜していれば良い。すなわち、後側金具５００の厚さは、間隙２３０の幅よりも小さくする。
【００３１】
後側金具５００をタイルパネル２００の裏面側に当てるために、表面側から間隙２３０に通して裏面側に送り込まれるが、後側金具５００が前側金具４００と固定されるまで、その位置を保持するために作業者が掴むための把持片６００を後側金具５００に取り付ける。
【００３２】
把持片６００は、後当板５１０の前面に取り付けられ、中央付近の取付部６１０から側方に長く延びた金属又は樹脂製の部材である。把持片６００は、厚さを薄くして弾力のある板バネ状に取り付けられ、取付部６１０を支点に湾曲させたり折り曲げたりなど変形可能である。なお、内側を刳り抜いても良いし、取付部６１０から側方に延びて先端から折り返して取付部６１０に戻るような形状にしても良い。
【００３３】
把持片６００の先端は、作業者が掴みやすいように、後当板５１０の中央から端側までの長さ以上に側方へ突出させる。また、タイルパネル２００の裏面側に送り込んだ後側金具５００を、タイルパネル２００の表面側で作業者が掴むため、タイルパネル２００の厚さを加えた以上の長さにすることが好ましい。さらに、後側金具５００と前側金具４００を前後に重ねたときに、前側金具４００の端側から側方に突出することが好ましい。
【００３４】
次に、本発明であるタイル剥落防止用補助金具の取付けについて説明する。図６及び図７は、タイル剥落防止用補助金具の取付手順（ａ）〜（ｄ）を説明するための図である。
【００３５】
図６（ａ）に示すように、壁面１００に設置されている任意の一のタイルパネル２００とそれに隣接する他のタイルパネル２００ａの間に、まず後側金具５００を配置する。後側金具５００をタイルパネル２００とタイルパネル２００ａとの間隙２３０に通すために、例えば、把持片６００が右側に延びている場合は、後側金具５００の左側が奥側になり右側が手前側になるように傾ける。
【００３６】
把持片６００を掴んだまま、後側金具５００をタイルパネル２００、２００ａの表面側から、間隙２３０に通して、タイルパネル２００、２００ａの裏面側に送り込み、把持片６００の先端はタイルパネル２００、２００ａの表面側に残した状態で保持する。
【００３７】
図６（ｂ）に示すように、後側金具５００の左側から間隙２３０に差し込み、後側金具５００の右側までタイルパネル２００、２００ａの裏面側に入ったら、後側金具５００の傾きを元に戻して、後側金具５００の前面左側をタイルパネル２００の裏面右側に当て、後側金具５００の前面右側をタイルパネル２００ａの裏面左側に当てる。後側金具５００の中孔５３０は、間隙２３０の位置に来るようにする。また、長孔５４０については、上下の両方が間隙２３０の位置にあれば良い。
【００３８】
把持片６００は、タイルパネル２００、２００ａの裏面側にある後側金具５００から間隙２３０を通って、先端がタイルパネル２００、２００ａの表面側に出ており、タイルパネル２００ａの前面に沿って当てれば良い。なお、壁面１００から延びるアンカーボルト１２０等の金具があれば、先に中孔５３０に通しておいても良い。
【００３９】
図７（ｃ）に示すように、前側金具４００を後側金具５００と重なる位置に配置する。前側金具４００の後面左側をタイルパネル２００の表面右側に当て、前側金具４００の後面右側をタイルパネル２００ａの表面左側に当てる。前側金具４００の中孔４３０及び上下の留孔４４０は、間隙２３０の位置に来るようにする。なお、把持片６００は、タイルパネル２００ａと前側金具４００の間に挟まれる。
【００４０】
図７（ｄ）に示すように、前側金具４００の中孔４３０から後側金具５００の中孔５３０まで、ワッシャー１３０を介した上でアンカーボルト１２０等の金具を通す。なお、表面側からネジ等を通して、壁面１００側の受け金具と固定するようにしても良い。また、中孔４３０及び中孔５３０は、アンカーボルト１２０等の径より大きくても良いし、内周をネジ状にしてアンカーボルト１２０等を螺合させても良い。
【００４１】
さらに、前側金具４００の留孔４４０から後側金具５００の長孔５４０まで留具３２０を通す。留具３２０は、例えば、ボルトとナットで前側金具４００及び後側金具５００をネジ締結させれば良い。なお、後側金具５００には弧状に湾曲した長孔５４０が空けられているので、後側金具５００がアンカーボルト１２０等を軸として僅かに回転したとしても、前側金具４００の留孔４４０と前後方向で位置ずれを生ずることもない。
【００４２】
その後、前側金具４００の通孔４５０にワイヤーロープ３１０を通せば良い。ワイヤーロープ３１０が張られることで、タイルパネル２００がトンネル内の道路に向かって倒れたり、タイルが剥落したりすることを防止できる。また、隣接するタイルパネル２００、２００ａがタイル剥落防止用補助金具３００によって挟持されているので、タイルパネル２００が１枚だけ倒れることも防止することができる。
【００４３】
このように、既設のタイルパネル２００であっても後付でワイヤーロープ３１０を支持するためのタイル剥落防止用補助金具３００を取り付けることができる。タイルパネル２００の裏側、すなわち、壁面１００とタイルパネル２００の間に作業者が手を入れることができなくても、タイルパネル２００間に確保されている間隙２３０から後側金具５００を送り込んで前側金具４００とともにアンカーボルト１２０に固定することができる。タイルパネル２００の前側にワイヤーロープ３１０を張ることで、タイルパネル２００に自動車のタイヤから撥ねた石などが当たっても、割れたタイル２１０の破片が道路に落下又は飛散することを抑制することができる。また、タイル剥落防止用補助金具３００でタイルパネル２００を挟持しているので、地震等によりタイルパネル２００自体が倒れるのを抑制することができる。
【００４４】
以上、本発明の実施例を述べたが、これらに限定されるものではない。例えば、ワイヤーロープ３１０は、横方向だけでなく縦方向に並ぶ複数のタイルパネル２００を押さえるために張られても良く、それを支持できるようにタイル剥落防止用補助金具３００を取り付けても良い。
【符号の説明】
【００４５】
１００：壁面
１１０：コンクリート
１２０：アンカーボルト
１３０：ワッシャー
１４０：ナット
２００：タイルパネル
２１０：タイル
２２０：下地
２３０：間隙
３００：タイル剥落防止用補助金具
３１０：ワイヤーロープ
３２０：留具
４００：前側金具
４１０：前当板
４２０：垂立板
４３０：中孔
４４０：留孔
４５０：通孔
５００：後側金具
５１０：後当板
５２０：側縁部
５３０：中孔
５４０：長孔
６００：把持片
６１０：取付部
【図１】
2019015050.tif 000003
【図２】
2019015050.tif 000004
【図３】
2019015050.tif 000005
【図４】
2019015050.tif 000006
【図５】
2019015050.tif 000007
【図６】
2019015050.tif 000008
【図７】
2019015050.tif 000009